(57)【特許請求の範囲】
【請求項１】
プラスチック製の内側容器であって、
(a)充填用はめ管付きの頂部と、(b)２つの側壁と、(c)抜取り栓を接続するための前壁であって、排出用はめ管が、その下方周辺領域に配設された前壁と、(d)後壁と、(e)流出用の底部であって、前記前壁内の前記排出用はめ管に隣接して、底部槽が設けられると共に、前記後壁から前記底部槽まで傾斜して延在する中央部の平坦な流出溝を有する流出用の底部とを備えるプラスチック製の内側容器；
金属格子または板金製の外殻；および
桶状の底部を有するパレット状の台座であって、前記内側容器の流出用底部を支持するために角部脚部および中央脚部を有してなり、前記台座が、フォークリフト或いは棚用操作ユニットを用いて取り扱われるように構成された台座； 
を有する液体用の運搬および貯蔵容器において、
前記排出用はめ管（９）と前記抜取り栓（１０）とを収容するために、前記内側容器の前壁（８）がドーム状のアーチ部（２６）を形成し、前記内側容器（２）の流出用底部（１２）が、前記内側容器の前壁（８）と、各々が前記流出用底部に隣接する角部領域（２７、２８）またはそれら角部領域および側壁領域（２７、３５；２８、３６）とに向かって上昇する２つの前部底部部分（２９、３０）を有してなり、該２つの前部底部部分が、運搬および貯蔵容器（１）の残留液排出の際に前記内側容器（２）の前部底部空間（３３）から前記底部槽（１４）を介して前記内側容器（２）の排出用はめ管（９）内に残留液を誘導するための流出面（３１、３２）を形成し、
前記前部底部部分（２９、３０）の、前記内側容器の流出用底部（１２）と前記２つの流出面（３１、３２）との間に形成される結合縁部（３４）が、前記内側容器の流出用底部（１２）の中央部の流出溝（１３）に直角にまたはほぼ直角に延在するか、或いは、前記内側容器の流出用底部（１２）の中央部の流出溝（１３）に向かって斜めに延在し、
前記貯蔵容器が、前記内側容器（２）の角部領域（２７、２８、４９、５０）を保護かつ内張りするための角部保護部（５１）を有することを特徴とする液体用の運搬および貯蔵容器。
【発明の詳細な説明】
【技術分野】
【０００１】
本発明は、プラスチック製の内側容器であって、充填用はめ管付きの頂部と、２つの側壁と、抜取り栓を接続するための下方周辺領域に配設された排出用はめ管付きの前壁と、後壁と、後壁から底部に形成された内側容器の前壁内の排出用はめ管に隣接する底部槽まで軽度の傾斜で延在する平坦な中心の流出溝付きの流出底部として形成された底部とを備える前記プラスチック製の内側容器と、さらに金属格子または板金製の外殻と、内側容器を支持するための角部および中央脚部上に位置する底部が装備されると共にフォークリフトを用いて取り扱うために棚用操作ユニットまたは同様の運搬手段が装備されたパレット状の台座とを有する液体用の運搬および貯蔵容器に関する。
【背景技術】
【０００２】
特許文献１から公知の液体用のこの種類の運搬および貯蔵容器のプラスチック製内側容器は、容器前壁の下部領域に排出用はめ管と抜取り栓とを収容するためのドーム状の中心のアーチ部を備える。容器前壁内のこのアーチ部によって、容器前壁のアーチ部と下方周辺領域とに隣接する内側容器の底部の部分に液体の集まりができ、この中に、容器を空にする際およびを容器を洗浄する際に残留液が集まり、この残留液が、運搬および貯蔵容器を新たに充填する際に、新規に充填される液体の許容し得ない汚染をもたらす可能性があり、この結果、特に容器は、ジュースおよびシロップのような液体食品の運搬および貯蔵に適用される衛生規則を十分には達成できない。
【特許文献１】ドイツ国特許第４２０６９４５号
【発明の開示】
【発明が解決しようとする課題】
【０００３】
本発明の課題は、最適な残留液排出性を考慮して、液体用の一般型の運搬および貯蔵容器をさらに発展させることである。
【課題を解決するための手段】
【０００４】
上記課題は、本発明により請求項１、２または３に記載の運搬および貯蔵容器によって解決される。
【０００５】
排出用はめ管と抜取り栓とを収容するための容器前壁内のアーチ部両側の、本発明による運搬および貯蔵容器の第１の実施形態の内側容器の底部
の前部底部部分であって、内側容器の後壁から前壁に軽度に下降する容器底部の傾斜と正反対の傾斜を有する前記前部底部部分によって、運搬および貯蔵容器の残留液排出の際に内側容器の前部底部空間から底部槽を介して内側容器の排出用はめ管内に残留液を誘導するための流出面が形成される。この底部構造によって、運搬および貯蔵容器の非常に優れた残留液排出が可能になる。
【０００６】
内側容器の前壁が、底部領域に抜取り栓を接続するための中心の排出用はめ管付きの壁幅全体にわたって延在するアーチ部を備える、前記内側容器を有する本発明による運搬および貯蔵容器のさらなる実施形態は、液体集合の形成を回避し、この結果、最適な残留液排出が保証されるが、内側容器の前壁内のアーチ部により、甘受すべきことは運搬および貯蔵容器の僅かな容積減少に過ぎない。
【発明を実施するための最良の形態】
【０００７】
本発明による液体用の運搬および貯蔵容器の種々の実施形態について、以下に示す図面を参照して詳しく説明する。
【０００８】
図１〜図３による液体用の使い捨ておよび繰返し使用容器として使用される運搬および貯蔵容器１は、主構造部として、ねじカバー５によって閉鎖可能な充填用はめ管４付きの頂部３と２つの側壁６、７と好ましくはフラップまたはボールコックの抜取り栓１０を接続するための下方周辺領域に配設された排出用はめ管９付きの前壁８と後壁１１と後壁１１から底部１２に形成された内側容器２の前壁８内の排出用はめ管９に隣接する底部槽１４まで軽度の傾斜で延在する平坦な中心の流出溝１３付きの流出底部として形成された底部１２とを有するプラスチック製の内側容器２と、さらに金属格子または板金製の外殻１５と、内側容器２を支持するための角部脚部１７〜２０および中央脚部２１〜２４上に位置する平坦な桶状の底部２５が装備されると共にフォークリフトを用いて取り扱うために棚用操作ユニットまたは同様の運搬手段が装備されたパレット状の台座１６とを具備する。
【０００９】
図１〜図３による内側容器２の底部１２は、排出用はめ管９と抜取り栓１０とを収容するための前壁８のドーム状のアーチ部２６の両側に、運搬および貯蔵容器の残留液排出の際に内側容器２の前部底部空間３３から底部槽１４を介して内側容器の排出用はめ管９内に残留液を誘導するための、容器前壁８と、それぞれ隣接する角部領域２７、２８とに向かって上昇する搬送面３１、３２（流出面とも称する）付きの２つの前部底部部分２９、３０を備える。下部底部１２と残留液用の両方の流出面３１、３２を形成する前部底部部分２９、３０との間の結合縁部３４は、底部１２の中心の流出溝１３に直角に延在する。
【００１０】
図４に示した内側容器２では、底部１２は、容器前壁８内のアーチ部２６の両側に、容器前壁８と、内側容器２のそれぞれ隣接する角部および側壁領域２７、３５；２８、３６とに向かって上昇する２つの前部底部部分２９、３０を備える。内側容器２の底部１２と前部底部部分２９、３０との間の結合縁部３７は、底部１２の中心の流出溝１３に向かって斜めに延在する。
【００１１】
図１〜図４に示した運搬および貯蔵容器１の内側容器２の両方の実施形態の場合、前部底部部分２９、３０には、内側容器２の前壁８内のアーチ部２６の両側にプラスチック製の支持要素３８が張り付けられ、この支持要素は運搬および貯蔵容器１の台座１６の底部２５上に載置される。
【００１２】
図５に示した液体用の運搬および貯蔵容器１の場合、内側容器２の前壁８内のアーチ部２６の両側の前部底部部分２９、３０を支持するための２つの外部支持部３９ａ、３９ｂと、２つの支持部３９ａ、３９ｂを互いに結合する中央部３９ｃとを有する、台座１６の底部２５上に位置するプラスチック製の下敷き部分３９が使用され、前記中央部は、台座１６の底部２５から形成された前部中央脚部２１を、覆い、また抜取り栓１０から滴下する特に刺激性の液体に対する保護部を形成する。
【００１３】
図６と図７による液体用の運搬および貯蔵容器１には、底部１２を有する内側容器２が設けられ、容器後壁１１から容器前壁８に配設された排出用はめ管９までのその傾斜は台座１６の底部２５の傾斜よりも大きく、また前記内側容器２には、それと台座１６の底部２５との間に配設されたプラスチック製の挿入底部４０が設けられ、この挿入底部は、内側容器２の流出底部として形成された底部１２に適合された傾斜した上側４１と、残留液用の両方の流出面３１、３２を支持するための傾斜した上側４４を有する２つの前部底部部分４２、４３を形成しており、内側容器２の底部１２の前部底部部分２９、３０を支持する。
【００１４】
図８に示した運搬および貯蔵容器１の内側容器２の前壁８は、底部１２の領域に壁幅全体にわたって延在するアーチ部４５を備え、このアーチ部は、軽度に傾斜した段部４６と、抜取り栓を接続するための中心の排出用はめ管９付きの前記段部に続く後ろに置かれた垂直の下方壁部４７とによって形成される。
【００１５】
図８による液体用の運搬および貯蔵容器１の内側容器２の前壁８内のアーチ部４５は、台座１６の底部２５の上に位置する１つまたは複数部分のプラスチック製の挿入部４８によって支持することができる。
【００１６】
運搬および貯蔵容器１の内側容器２の前部および後部角部領域２７、２８、４９、５０の下方部は、角部保護部５１によって保護し、内張りすることができる（図１と図２）。
【００１７】
特にシロップのような粘性液体の場合に残留液排出行程を速めるために、運搬および貯蔵容器１のパレット状の台座１６の背部、または外殻１５から取り出される内側容器２の後部は、下敷き部分、例えば角材５２によって持ち上げることができる（図３と図４）。
【図面の簡単な説明】
【００１８】
【図１】内側容器の第１の実施形態を有する運搬および貯蔵容器の正面図
【図２】図１による容器の側面図
【図３】図１と図２による液体容器の内側容器の内部斜視図
【図４】内側容器のさらなる実施形態の内部斜視図
【図５】図１〜図４による容器仕様に対して修正した内側容器の支持部を有する運搬および貯蔵容器の正面図
【図６】内側容器の第３の実施形態を有する運搬および貯蔵容器の正面図
【図７】図６による容器の側面図
【図８】内側容器の第４の実施形態を有する運搬および貯蔵容器の側面図
【符号の説明】
【００１９】
１    運搬および貯蔵容器
２    内側容器
３    頂部
４    充填用はめ管
５    ねじカバー
６，７    側壁
８    前壁
９    排出用はめ管
１０    抜取り栓
１１    後壁
１２    底部
１３    流出溝
１４    底部槽
１５    外殻
１６    台座
１７〜２０    角部脚部
２１〜２４    中央脚部
２５    桶状の底部
２６    アーチ部
２７，２８    角部領域
２９，３０    前部底部部分
３１，３２    流出面
３３    前部底部空間
３４    結合縁部
３５，３６    側壁領域
３７    結合縁部
３８    支持要素
３９    下敷き部分
３９ａ，３９ｂ    外部支持部
３９ｃ    結合中央部
４０    挿入底部
４１    傾斜した上側
４２，４３    前部底部部分
４４    傾斜した上側
４５    アーチ部
４６    傾斜した段部
４７    下方壁部
４８    挿入部
４９，５０    後部角部領域
５１    角部保護部
５２    角材
【図１】
0004425228.tif 000002
【図２】
0004425228.tif 000003
【図３】
0004425228.tif 000004
【図４】
0004425228.tif 000005
【図５】
0004425228.tif 000006
【図６】
0004425228.tif 000007
【図７】
0004425228.tif 000008
【図８】
0004425228.tif 000009